(57)【要約】【課題】機構が簡単で、短時間に効率よく残留した穀粒を除去することできる搬送装置を提供する。【解決手段】搬送装置１０は、粒状食物供給口１２および粒状食物排出口１３を有する本体１１と、本体１１の内部に設けたローラ１４，１５と、各ローラ１４，１５に掛け渡された無端の搬送体１６と、搬送体１６に設けられたバケット１７とを備えており、本体１１の下部には、本体１１の底部１８に向かって気体を送風するためのノズル１９が設けられている。このノズル１９は、吸入口と排出口との間に、外気を取り込むための外気口が形成されている。【選択図】図１
0003152034.tif 000002
【実用新案登録請求の範囲】
【請求項１】
下部に設けられた粒状食物供給口および上部に設けた粒状食物排出口を有する本体と、
前記本体内の上部および下部に設けたローラと、
前記各ローラに掛け渡された無端の搬送体と、
前記搬送体に所定の間隔を開けて設けられ、搬送体の移動に伴い上下に移動するバケットとを備え、
前記本体の下部には、前記本体の底部に向かって気体を送風するためのノズルが設けられており、
前記ノズルは、吸入口と排出口との間に、外気を取り込むための外気口を有する
ことを特徴とする搬送装置。
【請求項２】
前記ノズルの排出口は、前記本体の底部に向かって２０°以上５０°以下であることを特徴とする請求項１に記載の搬送装置。
【考案の詳細な説明】
【技術分野】
【０００１】
本考案は、穀粒などの粒状食物を搬送する際に、残留した粒状食物を除去する搬送装置に関する。
【背景技術】
【０００２】
従来より、米などの穀粒を搬送するバケットエレベータとしては、例えば、複数のバケットを設けた無端ベルトを駆動して下部の供給口から供給した穀粒を上部の排出口に搬送するものが知られている。
【０００３】
このようなバケットエレベータでは、供給部から供給された穀粒をバケットにより掬い取り移動させるが、バケットと底部との間に隙間が生じてしまうため、底部に溜まってしまった穀粒を完全に搬送することができなかった。これらの残留穀粒は、例えば、他の穀粒を搬送する際に混合してしまい、品質に問題が生じてしまうおそれがあった。
【０００４】
そこで、特許文献１では、バケットエレベータの底部にシャッタを設けて残留穀粒を取り除く装置が提案されている。また、特許文献２では、残留穀粒に向かって噴風することにより、残留穀粒を舞い上がらせてバケットで搬送することにより、残留穀粒を除去する装置が提案されている。
【先行技術文献】
【特許文献】
【０００５】
【特許文献１】特開２００１−２６３１１号公報
【特許文献２】特開昭５９−５５０９号公報
【考案の概要】
【考案が解決しようとする課題】
【０００６】
しかしながら、特許文献１では、シャッタおよびそれに付随する連通路を設けているので、機構が複雑になり、コスト高になってしまうという問題があった。また、特許文献２では、噴風口として、エアコンプレッサーや高圧ブロアーを用いており、残留穀粒にエアが接触する面積が小さくなるので、舞い上がらせて除去するのには時間がかかるという問題があった。更に、このような機構がない場合には、装置を止めて手で取り除いたり、掃除機で吸い取ったりしなければならず、装置の搬送効率を低下させるという問題もあった。
【０００７】
本考案は、このような問題に基づきなされたものであり、機構が簡単で、短時間に効率よく残留した穀粒などの粒状食物を除去することできる搬送装置を提供することを目的とする。
【課題を解決するための手段】
【０００８】
本考案の搬送装置は、下部に設けられた粒状食物供給口および上部に設けた粒状食物排出口を有する本体と、本体内の上部および下部に設けたローラと、各ローラに掛け渡された無端の搬送体と、搬送体に所定の間隔を開けて設けられ、搬送体の移動に伴い上下に移動するバケットとを備え本体の下部には、本体の底部に向かって気体を送風するためのノズルが設けられており、ノズルは、吸入口と排出口との間に、外気を取り込むための外気口を有するものである。
【０００９】
この搬送装置では、粒状食物供給口から供給された粒状食物が、搬送体に設けられたバケットに直接入ったり、あるいは本体の底部に溜まったのちバケットに掬い上げられ、ローラの回転に伴い上昇し、粒状食物排出口から排出される。底部とバケットとの間の隙間により残留した粒状食物は、ノズルの排出口から排出された気体により舞い上げられ、バケットに入って粒状食物排出口から本体外へ排出される。その際、ノズルの排出口からは、ノズルの吸入口へ送られてきた気体が、外気口から吸い込まれた外気により増量されて排出される。よって、残留粒状食物が効率的に除去される。
【考案の効果】
【００１０】
本考案の搬出装置によれば、吸入口と排出口との間に、外気を取り込むための外気口を有するノズルを、本体の底部に向かって設けるようにしたので、ノズルの吸入口へ送られてきた気体が、外気口から吸い込まれた外気により増量されて、排出口から排出されることにより、残留粒状食物を効率よく短時間で、かつ簡易に除去することができる。
【００１１】
特に、ノズルの排出口を本体の底部に向かって２０°以上５０°以下とするようにすれば、より効率よく短時間で、残留粒状食物を除去することができる。
【図面の簡単な説明】
【００１２】
【図１】本発明の一実施の形態に係る搬出装置の構成を表す断面図である。
【図２】図１に示したノズルの構成を表す拡大図である。
【図３】図１に示したノズルの構成を表す断面図である。
【考案を実施するための形態】
【００１３】
以下、本考案の実施の形態について、図面を参照して詳細に説明する。
【００１４】
図１は、本考案の一実施の形態に係る搬送装置１０の構成を表す断面図である。この搬送装置１０は、穀粒などの粒状食物を搬送するものであり、例えば、本体１１の下部の側面に粒状食物供給口１２が設けられており、また、本体１１の側面であり、かつ粒状食物供給口１２が設けられた側面の反対側の側面の上部に、粒状食物排出口１３が設けられている。本体１１の内部には、上部側と下部側のそれぞれにローラ１４，１５が設けられている。これらのローラ１４，１５には、無端の搬送体１６が掛け渡されている。搬送体１６は、例えば、環状のベルトや環状のチェーンにより構成されている。搬送体１６には、所定の間隔を開けてバケット１７が設けられており、穀粒などを入れることが可能になっている。バケット１７は、例えば、粒状食物供給口１２から入ってくる穀粒などに対抗する方向に移動するようになっており、図１では、右回りとなっている。本体１１の底部１８は、例えば、バケット１７の軌道と同様の形状を有しており、例えば、円弧状となっている。なお、穀粒としては、米，麦，ひえ，あわ，きび、唐黍，豆などが挙げられる。
【００１５】
また、本体１１には、粒状食物供給口１２とは反対側の側面の下部に、本体の底部１８に向かって空気などの気体を送風するためのノズル１９が設けられている。図２は、そのノズル１９を拡大して表すものであり、図３は、ノズル１９の断面を表すものである。ノズル１９は、例えば、アルミニウムを材料としており、気体を吸入する吸入口１９ａと、気体を排出する排出口１９ｂとを有している。また、ノズル１９の吸入口１９ａ側の側面には、外気を取り込むための外気口１９ｃが設けられており、ノズル１９の吸入口１９ａへ気体が送られて排出口１９ｂから排出される際に、外気口１９ｃから外気が吸い込まれるので、排出される気体が数倍に増量するようになっている。このようなノズル１９としては、例えば、ＨＫＨ株式会社製の増量ノズルＨＷ−７１８（総販売元トラスコ中山株式会社）が挙げられ、約３倍に気体量が増量する。外気口１９ｃの数は、例えば４個である。
【００１６】
ノズル１９の吸入口１９ａは、例えば、図示しない配管を介してコンプレッサーに接続されており、高圧の気体を送り込むことが可能になっている。なお、必要に応じて、ノズル１９と、コンプレッサーとの間には手動式あるいは自動式の停止バルブを設けていてもよい。また、ノズル１９は、例えば、本体１１の大きさによって、１つだけ取り付けていてもよいし、例えば、並列に複数設けていてもよい。
【００１７】
ノズル１９の向き、具体的には、ノズル１９の排出口１９ｂの向きは、水平方向となす角度θで２０°以上５０°以下とすることが好ましく、４０°以上５０°以下とすることがより好ましい。穀粒などが残留する位置に効果的に気体を送風することができるからである。
【００１８】
この搬送装置１０では、まず、穀粒などが粒状食物供給口１２から供給されると、穀粒などは搬送体１６に設けられたバケット１７に直接入ったり、あるいは本体の底部１８に溜まったのちバケットに掬い上げられ、ローラ１４あるいはローラ１５の回転に伴い上昇し、粒状食物排出口１３から排出される。その際、底部１８とバケット１７の軌道との間には隙間があるので、穀粒などが残留することがある。そこで、ノズル１９に気体を送り込むと、ノズル１９の吸入口１９ａへ送られてきた気体が、外気口１９ｃから吸い込まれた外気により増量されて、排出口１９ｂから排出される。この増量されて排出された気体により、底部１８に残留した穀粒などが舞い上げられ、バケット１７に入って粒状食物排出口１２から本体１１の外へ排出される。よって、残留した穀粒などが本体１１の内部から除去される。
【００１９】
このように本実施の形態の搬送装置１０によれば、吸入口１９ａと排出口１９ｂとの間に、外気を取り込むための外気口１９ｃを有するノズル１９を、本体１０の底部１８に向かって設けるようにしたので、ノズル１９の吸入口１９ａへ送られてきた気体が、外気口１９ｃから吸い込まれた外気により増量されて排出口１９ｂから排出されることにより、残留穀粒などを効率よく短時間で、かつ簡易に除去することができる。
【００２０】
特に、ノズル１９の排出口１９ｂを本体１０の底部１８に向かって２０°以上５０°以下とするようにすれば、より効率よく短時間で、残留穀粒などを除去することができる。
【００２１】
以上、実施の形態を挙げて本考案を説明したが、本考案は上記実施の形態に限定されるものではなく、種々変形可能である。例えば、上記実施の形態では、粒状食物として、穀粒について説明したが、ごまなどの他の粒状食物についても用いることができる。
【産業上の利用可能性】
【００２２】
穀粒などの搬送の際の残留穀粒などを排出するのに用いることができ、異種の穀粒などの混合を防止することができる。
【符号の説明】
【００２３】
１０…搬送装置、１１…本体、１２…粒状食物供給口、１３…粒状食物排出口、１４，１５…ローラ、１６…搬送体、１７…バケット、１８…底部、１９…ノズル、１９ａ…吸入口、１９ｂ…排出口、１９ｃ…外気口
【図１】
0003152034.tif 000003
【図２】
0003152034.tif 000004
【図３】
0003152034.tif 000005
【手続補正書】
【提出日】平成21年5月12日(2009.5.12)
【手続補正１】
【補正対象書類名】実用新案登録請求の範囲
【補正対象項目名】請求項２
【補正方法】変更
【補正の内容】
【請求項２】
前記ノズルの排出口の向きは、水平方向となす角度で２０°以上５０°以下であることを特徴とする請求項１に記載の搬送装置。